(57)【要約】      （修正有）【課題】制御盤からの呼出電文による端末機器の呼出しの順番を、端末機器の状態に応じて変更して重要な情報の応答受信の遅れを低減可能とする防災設備の伝送システムを提供する。【解決手段】受信機１０から伝送路１２−１を引き出し、伝送路１２−１に固有のアドレスを設定した最大アドレス数以内となる複数のアナログ感知器１４や中継器１６等の端末機器を接続し、受信機１０からアドレスを指定した呼出電文を送信し、呼出電文のアドレスと自己アドレスが一致した端末機器から応答電文を送信させる。受信機１０は、端末機器の接続と未接続や検出情報の重要度といった端末機器の状態に応じた重み値を設定し、重み値に基づいた順番にアドレスを設定して端末機器に呼出電文を送信する。【選択図】図１
2019036179.tif 000002
【特許請求の範囲】
【請求項１】
制御盤から最大アドレス数が所定値に定められた伝送路を引き出し、前記伝送路に固有のアドレスを設定した複数の端末機器を接続し、前記制御盤からアドレスを指定した呼出電文を送信し、前記呼出電文のアドレスと自己アドレスが一致した端末機器から応答電文を送信する防災設備の伝送システムに於いて、
前記制御盤に、前記端末機器の状態に応じた順番にアドレスを設定して前記端末機器に呼出電文を送信する制御部を設けたことを特徴とする防災設備の伝送システム。
【請求項２】
請求項１記載の防災設備の伝送システムに於いて、前記制御部は、前記端末機器の状態に応じた重み値を設定し、前記重み値に基づいた順番にアドレスを設定して前記端末機器に呼出電文を送信することを特徴とする防災設備の伝送システム。
【請求項３】
請求項２記載の防災設備の伝送システムに於いて、前記制御部は、前記伝送路に接続した端末機器に所定の高い重み値を設定すると共に前記伝送路に未接続の端末機器に所定の低い重み値を設定し、前記重み値の高い順にアドレスを設定して前記端末機器に呼出電文を送信することを特徴とする防災設備の伝送システム。
【請求項４】
請求項２記載の防災設備の伝送システムに於いて、前記制御部は、前記端末機器で検出する検出情報の重要度が高いほど高くなる所定の重み値を設定し、前記重み値の高い順にアドレスを設定して前記端末機器に呼出電文を送信することを特徴とする防災設備の伝送システム。
【請求項５】
請求項２記載の防災設備の伝送システムに於いて、前記制御部は、前記端末機器で火災を検出する区画の火災危険度が高いほど高くなる所定の重み値を設定し、前記重み値の高い順にアドレスを設定して前記端末機器に呼出電文を送信することを特徴とする防災設備の伝送システム。
【請求項６】
請求項２記載の防災設備の伝送システムに於いて、前記制御部は、前記端末機器で検出する煙濃度又は温度が高いほど高くなる所定の重み値を設定し、前記重み値の高い順にアドレスを設定して前記端末機器に呼出電文を送信することを特徴とする防災設備の伝送システム。
【請求項７】
請求項２記載の防災設備の伝送システムに於いて、前記制御部は、前記端末機器で検出した火災発報回数が多いほど、前記端末機器の非火災発報回数が多いほど、又は、前記端末機器の障害発生回数が多いほど高くなる所定の重み値を設定し、前記重み値の高い順にアドレスを設定して前記端末機器に呼出電文を送信することを特徴とする防災設備の伝送システム。
【請求項８】
請求項２記載の防災設備の伝送システムに於いて、前記制御部は、前記端末機器の製造年月日の古い順又は新しい順に高くなる所定の重み値を設定し、前記重み値の高い順にアドレスを設定して前記端末機器に呼出電文を送信することを特徴とする防災設備の伝送システム。
【請求項９】
請求項２乃至８の何れかに記載の防災設備の伝送システムに於いて、前記制御部は、前記端末機器について異なる複数の状態に応じて所定の重み値を設定し、前記複数の状態に応じて設定した重み値を加算した重み値の高い順にアドレスを設定して前記端末機器に呼出電文を送信することを特徴とする防災設備の伝送システム。
【請求項１０】
請求項２記載の防災設備の伝送システムに於いて、前記制御部は、前記重み値に応じて前記端末機器に対する呼出電文を送信する回数を変化させることを特徴とする防災設備の伝送システム。
【発明の詳細な説明】
【技術分野】
【０００１】
本発明は、制御盤から引き出された伝送路に複数の端末機器を接続し、制御盤からアドレスを指定した呼出電文を送信すると共に端末機器から応答電文を受信して制御を行う防災設備の伝送システムに関する。
【背景技術】
【０００２】
従来、Ｒ型として知られた火災やガス漏れ等の異常を監視する防災監視設備においては、受信機から引き出された伝送路に固有のアドレスを設定した複数の火災感知器を接続し、受信機から全ての火災感知器に一定周期で一括ＡＤ変換コマンドを含む電文を送信して煙濃度や温度などのセンサデータを検出し、続いて、受信機からアドレスを順次指定したポーリングコマンドを含む呼出電文を送信し、自己アドレスと一致するアドレスの呼出電文を受信した火災感知器からセンサデータを含む応答電文を受信機に送信し、受信機で受信した応答電文に含まれるセンサデータを所定の閾値と比較し、閾値を超えたときに火災と判断し、音響や表示灯によって火災警報を出力し、併せて火災を検出した感知器アドレスから火災発生場所を表示している。
【先行技術文献】
【特許文献】
【０００３】
【特許文献１】特開平０８−２５５２９４号公報
【特許文献２】特開２００９−０８７１１１号公報
【発明の概要】
【発明が解決しようとする課題】
【０００４】
しかしながら、このような従来の防災設備で制御盤からの呼出電文の送信に対し端末機器から応答電文を送信する伝送システムにあっては、制御盤から複数の端末機器のアドレスを例えば昇順といった一定の順番により繰り返し指定しながら呼出電文を送信しており、端末機器のアドレスが大きくなるほど、端末機器から応答電文を受信するまでの時間が遅くなる問題がある。
【０００５】
例えば火災を監視する防災監視設備にあっては、１分周期で一括ＡＤ変換コマンドを含む電文を送信して全ての火災感知器でセンサデータを検出した後、例えば最大アドレス数を受信機を含めて２５６アドレスとすると、感知器アドレスを１から２５５まで順次指定しながら呼出電文を送信しており、最後のアドレス２５５の火災感知器からの応答電文によりセンサデータを受信するまでに１分弱の時間がかってしまう問題がある。
【０００６】
このような呼出電文によるセンサデータ受信までの時間遅れは、火災が発生していない通常監視状態ではそれほど問題にはならないが、アドレスが大きい火災感知器で火災によるセンサデータを検出してから受信機でセンサデータを受信するまでの遅れ時間が大きくなり、火災に伴うセンサデータのリアルタイム性が低下する問題がある。
【０００７】
本発明は、制御盤からの呼出電文による端末機器の呼出しの順番を、端末機器の状態に応じて変更して重要な情報の応答受信の遅れを低減可能とする防災設備の伝送システムを提供することを目的とする。
【課題を解決するための手段】
【０００８】
（防災設備の伝送システム）
本発明は、制御盤から最大アドレス数が所定値に定められた伝送路を引き出し、前記伝送路に固有のアドレスを設定した数の端末機器を接続し、制御盤からアドレスを指定した呼出電文を送信し、呼出電文のアドレスと自己アドレスが一致した端末機器から応答電文を送信する防災設備の伝送システムに於いて、
制御盤に、端末機器の状態に応じた順番にアドレスを設定して端末機器に呼出電文を送信する制御部を設けたことを特徴とする。
【０００９】
（端末機器の状態に応じた重み値の設定）
制御部は、端末機器の状態に応じた重み値を設定し、重み値に基づいた順番にアドレスを設定して端末機器に呼出電文を送信する。
【００１０】
（端末機器の接続と未接続に応じた重み値設定）
制御部は、伝送路に接続した端末機器に所定の高い重み値を設定すると共に伝送路に未接続の端末機器に所定の低い重み値を設定し、重み値の高い順にアドレスを設定して端末機器に呼出電文を送信する。
【００１１】
（端末機器による検出情報の重要度に応じた重み値の設定）
制御部は、端末機器で検出する検出情報の重要度が高いほど高くなる所定の重み値を設定し、重み値の高い順にアドレスを設定して端末機器に呼出電文を送信する。
【００１２】
（端末機器の火災危険度に応じた重み値の設定）
制御盤は、端末機器で火災を検出する区画の火災危険度が高いほど高くなる所定の重み値を設定し、重み値の高い順にアドレスを設定して端末機器に呼出電文を送信する。
【００１３】
（端末機器の煙濃度又は温度に応じた重み値の設定）
制御部は、端末機器で検出する煙濃度又は温度が高いほど高くなる所定の重み値を設定し、重み値の高い順にアドレスを設定して端末機器に呼出電文を送信する。
【００１４】
（端末機器の履歴に応じた重み値の設定）
制御部は、端末機器で検出した火災発報回数が多いほど、端末機器の非火災発報回数が多いほど、又は、端末機器の障害発生回数が多いほど高くなる所定の重み値を設定し、重み値の高い順にアドレスを設定して前記端末機器に呼出電文を送信する。
【００１５】
（端末機器の製造年月日に応じた重み値の設定）
制御部は、端末機器の製造年月日の古い順又は新しい順に高くなる所定の重み値を設定し、重み値の高い順にアドレスを設定して端末機器に呼出電文を送信する。
【００１６】
（端末機器の複数の状態に応じた重み値の加算による設定）
制御部は、前記端末機器について異なる複数の状態に応じて所定の重み値を設定し、複数の状態に応じて設定した重み値を加算した重み値の高い順にアドレスを設定して端末機器に呼出電文を送信する。
【００１７】
（重み値による端末呼出し回数の制御）
制御部は、重み値に応じて端末機器に対し呼出電文を送信する回数を変化させる。
【発明の効果】
【００１８】
（伝送システムの基本的な効果）
本発明は、制御盤から最大アドレス数が所定値に定められた伝送路を引き出し、前記伝送路に固有のアドレスを設定した数の端末機器を接続し、制御盤からアドレスを指定した呼出電文を送信し、呼出電文のアドレスと自己アドレスが一致した端末機器から応答電文を送信する防災設備の伝送システムに於いて、制御盤に、端末機器の状態に応じた順番にアドレスを設定して端末機器に呼出電文を送信する制御部を設けるようにしたため、端末機器の状態に応じて決まる順番にアドレスを指定して呼出電文を送信することで、例えば一定周期で端末機器が検出したデータを呼出電文に対する応答電文により制御盤に送る場合、端末機器の状態に応じて応答電文の遅れ時間を短くすることができ、また、端末機器の状態が変化すると、これに応じてアドレス順が変化し、特定の状態にある端末機器からの応答電文の遅れ時間を動的に短くすることができる。
【００１９】
（端末機器の状態に応じた重み値の設定による効果）
また、制御部は、端末機器の状態に応じた重み値を設定し、重み値に基づいた順番にアドレスを設定して端末機器に呼出電文を送信するようにしたため、端末機器の状態に応じた重み値で決まる順番にアドレスを指定して呼出電文を送信することで、端末機器の状態に応じた重み値により応答電文の遅れ時間を短くすることができ、また、端末機器の状態が変化すると、これに応じた重み値の変化でアドレス順が変化し、特定の状態にある端末機器からの応答電文の遅れ時間を動的に短くすることができる。
【００２０】
（端末機器の接続と未接続に応じた重み値設定による効果）
制御部は、伝送路に接続した端末機器に所定の高い重み値を設定すると共に伝送路に未接続の端末機器に所定の低い重み値を設定し、重み値の高い順にアドレスを設定して端末機器に呼出電文を送信するようにしたため、例えば一定周期で端末機器が検出したデータを呼出電文に対する応答電文により制御盤に送る場合、伝送路に接続している端末機器から呼出電文の送信が開始され、端末機器でデータを検出してから制御盤で受信するまでの時間遅れを短縮してリアルタイム性を向上可能とする。
【００２１】
（端末機器による検出情報の重要度に応じた重み値の設定の効果）
また、制御部は、端末機器で検出する検出情報の重要度が高いほど高くなる所定の重み値を設定し、重み値の高い順にアドレスを設定して端末機器に呼出電文を送信するようにし、具体的には、端末機器で制御する制御負荷の重要度が高いほど高くなる所定の重み値を設定し、重み値の高い順にアドレスを設定して端末機器に呼出電文を送信するようにしたため、例えば一定周期で端末機器が検出したデータを呼出電文に対する応答電文により制御盤に送る場合、検出情報の重要度が高い端末機器ほど、データを検出してから制御盤で受信するまでの時間遅れを短縮してリアルタイム性を向上可能とする。
【００２２】
（端末機器の火災危険度に応じた重み値の設定による効果）
また、制御部は、端末機器で火災を検出する区画の火災危険度が高いほど高くなる所定の重み値を設定し、重み値の高い順にアドレスを設定して端末機器に呼出電文を送信するようにし、例えば、制御部は、端末機器で検出する煙濃度又は温度が高いほど高くなる所定の重み値を設定し、重み値の高い順にアドレスを設定して端末機器に呼出電文を送信するようにしたため、より信頼性の高い判定ができる。
【００２３】
例えば一定周期で端末機器が検出した温度又は煙濃度等のセンサデータを呼出電文に対する応答電文により制御盤に送る場合、煙濃度又は温度が高くなることで火災の危険度が高いほど、端末機器でセンサデータを検出してから制御盤でセンサデータを受信するまでの遅れ時間を短くすることができ、火災の危険度の高い端末機器のセンサデータを略リアルタイムで監視可能とし、より信頼性の高い判定ができる。
【００２４】
（端末機器の報履歴に応じた重み値の設定による効果）
また、制御部は、端末機器で検出した火災発報回数が多いほど、端末機器の非火災発報回数が多いほど、又は、端末機器の障害発生回数が多いほど高くなる所定の重み値を設定し、重み値の高い順にアドレスを設定して端末機器に呼出電文を送信するようにしたため、例えば一定周期で端末機器が検出した温度又は煙濃度等のセンサデータを呼出電文に対する応答電文により制御盤に送る場合、火災発報回数の多い端末機器ほど、端末機器でセンサデータを検出してから制御盤でセンサデータを受信するまでの遅れ時間を短くすることができ、火災履歴の多い端末機器のセンサデータを略リアルタイムで監視可能とする。
【００２５】
また、、端末機器の非火災発報回数が多いほど高くなる所定の重み値を設定いることで、非火災発報回数の多い端末機器ほど、端末機器で障害データを検出してから制御盤で受信するまでの時間遅れを短縮して障害監視のリアルタイム性を向上可能とする。
【００２６】
更に、端末機器の障害発生回数が多いほど高くなる所定の重み値を設定することで、例えば一定周期で端末機器が検出した障害データを呼出電文に対する応答電文により制御盤に送る場合、障害発生回数の多い端末機器ほど、端末機器で障害データを検出してから制御盤で受信するまでの時間遅れを短縮してリアルタイム性を向上可能とする。
【００２７】
（端末機器の製造年月日に応じた重み値の設定による効果）
また、制御部は、端末機器の製造年月日の古い順又は新しい順に高くなる所定の重み値を設定し、重み値の高い順にアドレスを設定して端末機器に呼出電文を送信するようにしたため、必要に応じて、端末機器の製造年月日の古い順又は新しい順に呼出電文を送信することができ、例えば一定周期で端末機器が検出したデータを呼出電文に対する応答電文により制御盤に送る場合、製造年月日の古い端末機器又は製造年月日の新しい端末機器ほど、端末機器で障害データを検出してから制御盤で受信するまでの時間遅れを短縮して障害監視のリアルタイム性を向上可能とする。
【００２８】
（端末機器の複数の状態に応じた重み値の加算による設定の効果）
また、制御部は、前記端末機器について異なる複数の状態に応じて所定の重み値を設定し、複数の状態に応じて設定した重み値を加算した重み値の高い順にアドレスを設定して端末機器に呼出電文を送信するようにしたため、例えば端末機器の接続と未接続に対応した重み値と、端末機器の検出情報の重要度に対応した重み値とを加算した重み値を求め、この加算した重み値の高い順に端末機器に呼出電文を送信して応答電文を受信することで、例えば一定周期で端末機器が検出したデータを呼出電文に対する応答電文により制御盤に送る場合、加算した重み値の高い端末機器ほど、検出データを制御盤で受信するまでの時間遅れを短縮可能とする。
【００２９】
（重み値による端末呼出し回数の制御による効果）
また、制御部は、重み値に応じて端末機器に対し呼出電文を送信する回数を変化させるようにしたため、例えば端末機器で検出した火災発報回数が多いほど高い重み値により呼出電文の送信回数が増加させることで、特定の状態にある端末機器から集中的に応答電文を返送させて火災検出等の遅れ時間を動的に短くすることができる。
【図面の簡単な説明】
【００３０】
【図１】本発明の伝送システムが使用される防災設備として、火災やガス漏れを監視する防災監視設備を例に取って全体構成を示したブロック図
【図２】受信機で端末機器の呼出電文の送信に使用する端末機器の接続と未接続に応じた重み値の設定による重み値順アドレステーブルを示した説明図
【図３】図１の防災監視設備に設けた受信機よる監視制御を示したフローチャート
【図４】端末機器の接続と未接続及び検出情報の重要度に応じた重み値の設定による合成重み値順アドレステーブルの生成過程を示した説明図
【図５】図４の過程を経て生成された重み値アドレステーブルを示した説明図
【図６】端末機器の接続と未接続及び火災危険度に応じた重み値の設定による合成重み値順アドレステーブルの生成過程を示した説明図
【図７】端末機器の接続と未接続及び煙濃度と温度に応じた重み値の設定による合成重み値順アドレステーブルの生成過程を示した説明図
【図８】端末機器の接続と未接続及び火災発報履歴に応じた重み値の設定による合成重み値順アドレステーブルの生成過程を示した説明図
【図９】端末機器の接続と未接続及び非火災発報履歴に応じた重み値の設定による合成重み値順アドレステーブルの生成過程を示した説明図
【図１０】端末機器の接続と未接続及び障害履歴に応じた重み値の設定による合成重み値順アドレステーブルの生成過程を示した説明図
【図１１】端末機器の接続と未接続及び製造年月に応じた重み値の設定による合成重み値順アドレステーブルの生成過程を示した説明図
【発明を実施するための形態】
【００３１】
［防災設備の伝送システムの概要］
（防災監視設備）
図１は本発明の伝送システムが使用される防災設備として、火災やガス漏れを監視するＲ型の防災監視設備を例に取って全体構成を示したブロック図である。
【００３２】
図１に示すように、Ｒ型の受信機１０からは施設の警戒エリアに向けて伝送路１２−１，１２−２が引き出されている。伝送路１２−１には、端末機器として、アナログ感知器１４を接続し、また伝送路１２−１には中継器１６を接続し、中継器１６から引き出された火報回線１８にオンオフ感知器２０及び発信機２２を接続し、また別の中継器１６にはガス漏れ検出器２４を接続している。
【００３３】
また、伝送路１２−２には、複数の中継器１６を接続し、各中継器１６を介して防火シャッター２６、防火戸２８、ダンパ３０及びスプリンクラー消火設備のアラーム弁３２等を端末機器として接続している。この内、防火シャッター２６、防火戸２８、ダンパ３０は制御負荷に含まれ、アラーム弁３２は流水検出信号を出力する検出器に含まれる。
【００３４】
アナログ感知器１４及び中継器１６は、受信機１０との間で情報を双方向にシリアル伝送する伝送機能を備えており、受信機１０を含めて固有のアドレスが予め割り当てられている。伝送路１２−１，１２−２の各々に接続できるアナログ感知器１４や中継器１６等の端末数は、例えば最大アドレス数が２５６アドレスの場合、受信機アドレスを除くことから、２５５台以下の端末を接続することができる。
【００３５】
受信機１０には、受信機制御部３４，伝送部３６−１，３６−２、表示部３８、操作部４０、音響警報部４２、移報部４４及びプリンタ４６を設けている。以下の説明では、伝送路１２−１，１２−２及び伝送部３６−１，３６−２を区別する必要がない場合は、伝送路１２及び伝送部３６という場合がある。
【００３６】
受信機１０の受信機制御部３４は、ＣＰＵ、メモリ、各種の入出力ポートを備えたコンピュータ回路で構成しており、プログラムの実行により所定の受信機制御を行う。
【００３７】
受信機１０からアナログ感知器１４及び中継器１６に対する下り信号は電圧モードで伝送している。この電圧モードの信号は、伝送路１２の電圧を例えば１８ボルトと３０ボルトの間で変化させる電圧パルスとして伝送される。
【００３８】
これに対しアナログ感知器１４及び中継器１６からの上り信号は電流モードで伝送される。この電流モードにあっては、伝送路１２に伝送データのビット１のタイミングで信号電流を流し、いわゆる電流パルス列として上り信号が受信機に伝送される。
【００３９】
受信機１０の受信機制御部３４による監視制御は、アナログ感知器１４の火災監視を例にとると、次のようになる。受信機１０は、通常の監視中にあっては、一定周期毎に、一括ＡＤ変換コマンドを含むブロードキャストの一括ＡＤ変換電文を送信しており、この一括ＡＤ変換電文を受信したアナログ感知器１４は、煙濃度又は温度をセンサデータとして検出して保持する。
【００４０】
続いて、受信機制御部３４は、アナログ感知器１４の状態、例えばアナログ感知器１４の接続と未接続の状態を示す重み値順にアドレスを配置した重み値順アドレステーブルに基づき、端末アドレスを順次指定したポーリングコマンドを含む呼出電文を送信している。
【００４１】
アナログ感知器１４は自己アドレスに一致するアドレスを持つ呼出電文を受信すると、そのとき保持しているセンサデータを含む応答電文を受信機１０に送信する。このため受信機１０にあっては、応答電文の受信によりアナログ感知器１４のセンサデータを取得して火災を判断し、火災警報動作を行うことになる。
【００４２】
また、設備の立上げの際に、受信機制御部３４からの呼出電文に対し応答電文が受信されない場合は、そのアドレスのアナログ感知器１４は未接続と判断し、また、通常運用中に、それまで受信していた応答電文が受信されなくなった場合は、アナログ感知器１４の障害と判断できる。
【００４３】
このような受信機制御部３４による監視制御は、オンオフ感知器２０やガス漏れ検出器２４を接続した中継器１６についても同様である。
【００４４】
また、受信機制御部３４による防火シャッター２６、防火戸２８、ダンパ３０等の制御負荷を端末機器として接続した中継器１６に対する制御は、通常の監視中にあっては、一定周期毎に、一括ＡＤ変換コマンドを含むブロードキャストの一括ＡＤ変換電文を送信しており、この一括ＡＤ変換電文を受信した制御負荷は、現在の制御状態を検出して状態検出データ（ステータスデータ）として保持する。
【００４５】
続いて、受信機制御部３４は、防火シャッター２６等の制御負荷の状態、例えば制御負荷の接続と未接続の状態を示す重み値順にアドレスを配置した重み値順アドレステーブルに基づき、端末アドレスを順次指定したポーリングコマンドを含む呼出電文を送信しており、防火シャッター２６等の制御負荷は自己の設定アドレスに一致するポーリングコマンドの呼出電文を受信すると、そのとき保持している状態検出データを含む応答電文を受信機１０に送信する。このため受信機１０にあっては、応答電文の受信により防火シャッター２６等の制御負荷の状態検出データを取得し、現在の制御位置を認識している。
【００４６】
受信機制御部１６は、アナログ感知器１４のセンサデータから火災判断した場合の連動制御により、例えば防火シャッター２６を接続した中継器１６のアドレスを設定した読出電文に、例えばシャッター閉鎖コマンドを含めて送信し、火災発生に伴い防火シャッター２６を閉鎖させる制御を行う。
【００４７】
［重み値順アドレステーブルの生成］
図２は、受信機で端末機器の呼出電文の送信に使用する重み値順アドレステーブルの生成を示した説明図であり、図２（Ａ）は初期設定されているアドレスを昇順に並べたアドレステーブルであり、図２（Ｂ）は端末機器の状態で決まる重み値順にアドレスを並べた重み値順アドレステーブルを示す。なお、説明を簡単にするため最大アドレス数を受信機１０を含めて１６アドレスとした場合を例にとって説明する。
【００４８】
図２（Ａ）に示すように、初期設定されたアドレステーブル４８は、アドレス、端末機器の状態、及び重み値で構成されており、端末機器の状態として、この例では、端末機器の接続と未接続を例にとっている。この端末機器の接続と未接続に対しては各々異なる重み値が設定されている。なお、端末機器の接続と未接続は、端末機器の存在と不存在を意味し、また、アドレスから見ると使用アドレスと空きアドレスを意味する。
【００４９】
端末機器を接続している場合は重み値を１に設定し、端末機器の未接続については重み値０に設定している。端末機器の接続と未接続の判定は、設備を立ち上げた際に、図２（Ａ）のアドレステーブル４８にテーブル先頭から末尾に並べた昇順のアドレスを順次設定したポーリングコマンドを含む呼出電文を送信し、応答電文を受信した場合は接続と判断して重み値に１を設定し、これに対し応答電文の受信がなかった場合は、未接続と判断して重み値に０を設定し、図示のアドレステーブル４８を生成する。
【００５０】
続いて、図２（Ａ）のアドレステーブル４８につき、重み値を高い順に並び替えるソート処理を実行し、図２（Ｂ）に示す重み値順にアドレスを並び替えた重み値順アドレステーブル５０を生成する。この場合、重み値が同じとるアドレスが複数存在している場合には、アドレスの昇順に並べている。
【００５１】
このようにして重み値順アドレステーブル５０を生成した受信機制御部３４は、一定周期の到達でブロードキャストの一括ＡＤ変換電文をアナログ感知器１４に送信してセンサデータを検出して保持させた後、図２（Ｂ）に示した重み値順アドレステーブル５０の先頭位置から末尾に向けてアドレスを順番に読み出して呼出電文に設定し、伝送路１２に送信する。
【００５２】
このため、例えば一定周期でアナログ感知器１４が検出したセンサデータを呼出電文に対する応答電文により受信機１０に送る場合、伝送路への接続に対応して高い重み値を設定しているアナログ感知器１４から受信機１０による呼出電文の送信が開始され、アナログ感知器１４でセンサデータを検出してから受信機１０でセンサデータを受信して火災を判断するまでの時間遅れを短縮し、リアルタイム性を向上可能とする。
【００５３】
［防災監視設備の監視制御］
図３は図１の防災監視設備に設けた受信機による監視制御を示したフローチャートであり、受信機１０に設けた受信機制御部３４による制御動作となる。
【００５４】
図３に示すように、受信機１０を電源投入により立ち上げると、ステップＳ１でアドレスをＡ＝１〜１５の順番に順次設定した呼出電文をアナログ感知器１４に送信して応答電文を受信し、ステップＳ２に進んで応答電文を受信した場合は接続ありとして重み値を１に設定し、一方、応答電文を受信しない場合は未接続として重み値０を設定することにより、図２（Ａ）に示したアドレステーブル４８を生成する。
【００５５】
続いてステップＳ３に進み、図２（Ａ）のアドレステーブル４８を重み値の高い順に並べ替え、図２（Ｂ）に示す重み値順アドレステーブル５０を生成する。続いてステップＳ４で一括ＡＤ変換コマンドを含む一括ＡＤ変換電文を全てのアナログ感知器１４で受信可能なブロードキャストアドレスの設定により送信し、全てのアナログ感知器１４でセンサデータを検出して保持させる。
【００５６】
続いて、ステップＳ５に進み、図２（Ｂ）に示した重み値順アドレステーブル５０の先頭位置のアドレスを読出して呼出電文に設定し、この呼出電文をステップＳ６で送信し、ステップＳ７で端末機器からの応答電文を受信し、応答電文に含まれているセンサデータを取出して火災判断等の処理を行う。
【００５７】
続いてステップＳ８で重み値順アドレステーブル５０の末尾のアドレスを判別するまで、ステップＳ９で次のテーブル位置のアドレスを読出し、ステップＳ６，Ｓ７の呼出電文の送信と応答電文の受信による処理を繰り返している。
【００５８】
続いて、ステップＳ８でテーブル末尾のアドレスを判別するとステップＳ１０に進み、アナログ感知器１４の接続または未接続に変化があったか否かを、ステップＳ７における応答電文の受信結果から判別し、アナログ感知器１４の接続又は未接続の変化を判別した場合は、ステップＳ２に戻り、現在の重み値順アドレステーブル５０における変化のあった状態の接続又は未接続を修正し、ステップＳ３で再度、重み値順に並び替えて新たな重み値順アドレステーブルを生成し、同様にしてステップＳ４からの処理を繰り返す。
【００５９】
［端末機器の接続／未接続と検出情報の重要度による重み値順アドレステーブルの生成］
図４は端末機器の接続と未接続及び検出情報の重要度に応じた重み値の設定による重み値順アドレステーブルの生成過程を示した説明図、図５は図４の過程を経て生成された重み値アドレステーブルを示した説明図である。
【００６０】
図４（Ａ）に示す初期設定されるアドレスを昇順に並べたアドレステーブル５２にあっては、端末機器の状態として図２（Ａ）に示したと同様に、アナログ感知器１４の接続で１となり、未接続で０となる第１重み値を設定し、これに加えてアナログ感知器１４で検出する煙濃度や温度による重要度に対応して第２重み値を設定している。
【００６１】
本実施形態では、検出情報の重要度として、光電式スポット型感知器の感度を示す１種、２種及び３種を利用する。光電式スポット型感知器には、１種、２種、３種の感知器があり、１種は減光率５％の煙で３０秒以内に作動する感度、２種は減光率１０％の煙で３０秒以内に作動する感度、３種は減光率１５％の煙で３０秒以内に作動する感度であり、アナログ感知器１４に代えて光電式スポット型感知器を設置したと想定した場合に必要な感度を検出情報の重要度に利用している。
【００６２】
ここで、検出情報の重要度に応じた第２重み値は、重要度の高い順に、１種感度で重み値を３とし、２種感度で重み値を２とし、３種感度で重み値を１としている。
【００６３】
次に、第１重み値と第２重み値を設定したアドレステーブル５２について、図４（Ｂ）に示すように、第１重み値と第２重み値を加算した加算重み値をもつ中間アドレステーブル５４を生成する。
【００６４】
続いて、中間アドレステーブル５４について、加算重み値の大きい順にアドレスを並べ替えるソート処理を行うことにより、図５（Ｃ）に示す重み値順アドレステーブル５６を生成する。
【００６５】
このような重み値順アドレステーブル５６の生成が図３のフローチャートにおけるステップＳ１〜Ｓ３の処理に相当し、続いてステップＳ４〜Ｓ１０に示すように、重み値順アドレステーブル５６で与えられる重み値の高い順にアドレスを設定した呼出電文をアナログ感知器１４に送信し、センサデータを含む応答電文を受信して処理する。
【００６６】
このため、一括ＡＤ変換コマンドを含む電文を一定周期毎に送信することによりアナログ感知器１４が検出したセンサデータを、受信機１０からの呼出電文に対する応答電文で送り返す場合、検出情報の重要度が高いアナログ感知器１４ほど、センサデータを検出してから受信機１０で受信するまでの時間遅れを短縮することができる。
【００６７】
［端末機器の接続／未接続と火災危険度による重み値順アドレステーブルの生成］
図６は端末機器の接続と未接続及び火災危険度に応じた重み値の設定による重み値順アドレステーブルを示した説明図である。
【００６８】
図６（Ａ）に示す初期設定されるアドレスを昇順に並べたアドレステーブル５８にあっては、端末機器の状態として図２（Ａ）に示したと同様に、端末機器の接続で１となり、未接続で０となる第１重み値を設定し、これに加えてアナログ感知器１４の設置場所により決まる火災危険度に対応して第２重み値を設定している。
【００６９】
ここで、火災危険度は、アナログ感知器１４の設置場所が厨房等の火気を使用する場所や喫煙を行う場所では高く、一方、火気の使用がない場所や禁煙場所等では低くなる。本実施形態では、火災危険度を高中低の三段階に分け、火災危険度高で重み値を３とし、火災危険度中で重み値を２とし、火災危険度低で重み値を１としている。
【００７０】
次に、第１重み値と第２重み値を設定したアドレステーブル５８について、図４（Ｂ）に示したと同様に、第１重み値と第２重み値を加算した加算重み値をもつ中間アドレステーブル（図示せず）を生成し、中間アドレステーブルについて加算した重み値の大きい順にアドレスを並べ替えるソート処理を行うことにより、図６（Ｂ）に示す重み値順アドレステーブル６０を生成する。
【００７１】
このような重み値順アドレステーブル６０の生成が図３のフローチャートにおけるステップＳ１〜Ｓ３の処理に相当し、続いてステップＳ４〜Ｓ１０に示すように、重み値順アドレステーブル６０で与えられる重み値の高い順にアドレスを設定した呼出電文を端末に送信してセンサデータを含む応答電文を受信して処理する。
【００７２】
このため、一括ＡＤ変換コマンドを含む電文を一定周期毎に送信することによりアナログ感知器１４が検出したセンサデータを、受信機１０からの呼出電文に対する応答電文で送り返す場合、火災危険の高いアナログ感知器１４ほど、センサデータを検出してから受信機１０でセンサデータを受信するまでの時間遅れを短縮することができる。
【００７３】
なお、図２（Ｂ）に示した端末機器の接続と未接続に対応した重み値は、以下の説明で明らかにする端末機器の他の状態に対応した重み値と必ず組み合わせて設定する重み値となる。
【００７４】
［端末機器の接続／未接続と煙濃度／温度による重み値順アドレステーブルの生成］
図７は端末機器の接続と未接続及び煙濃度と温度に応じた重み値の設定による重み値順アドレステーブルを示した説明図である。
【００７５】
図７（Ａ）に示す初期設定されるアドレスを昇順に並べたアドレステーブル６２にあっては、アナログ感知器１４の状態として図２（Ａ）に示したと同様に、アナログ感知器１４の接続で１となり、未接続で０となる第１重み値を設定し、これに加えてアナログ感知器１４で検出している煙濃度に対応して第２重み値を設定し、更に、アナログ感知器１４で検出している温度に対応して第３重み値を設定している。
【００７６】
図１に示したアナログ感知器１４には、センサデータとして煙濃度を検出する感知器と温度を検出する感知器があることから、それぞれの大小関係に対応した重み値を設定している。本実施形態では、煙濃度と温度を高中低の三段階のレベルに分け、高レベルで重み値を３とし、中レベルで重み値を２とし、低レベルで重み値を１としている。ここで、アドレス０１〜０７のアナログ感知器１４は煙濃度を検出し、アドレス０８〜１５のアナログ感知器１４は温度を検出している。
【００７７】
煙濃度及び温度に対応した第２重み値及び第３重み値の設定は、受信機１０から呼出電文を送信して受信したアナログ感知器１４からの応答電文による煙濃度データ又は温度データを所定の閾値と比較して高中低の三段階のレベルに分けて重み値を設定する。
【００７８】
このため定常監視状態では、煙濃度は概ね０％／ｍであり、温度も室温であることから、煙濃度及び温度は低レベルにあり、重み値１の設定となっているが、図７にあっては、説明の都合上、高中低の三段階のレベルが生じた場合を例にとっている。
【００７９】
次に、第１重み値、第２重み値及び第３重み値を設定したアドレステーブル６２について、第１重み値、第２重み値及び第３重み値を加算した加算重み値をもつ中間アドレステーブル（図示せず）を生成し、中間アドレステーブルについて加算重み値の大きい順にアドレスを並べ替えるソート処理を行うことにより、図７（Ｂ）に示す重み値順アドレステーブル６４を生成する。
【００８０】
このような重み値順アドレステーブル６４の生成が図３のフローチャートにおけるステップＳ１〜Ｓ３の処理に相当し、続いてステップＳ４〜Ｓ１０に示すように、重み値順アドレステーブル６４で与えられる重み値の高い順にアドレスを設定した呼出電文を端末に送信してセンサデータを含む応答電文を受信して処理する。
【００８１】
このため、一括ＡＤ変換コマンドを含む電文を一定周期毎に送信することによりアナログ感知器１４が検出したセンサデータを、受信機１０からの呼出電文に対する応答電文で送り返す場合、煙濃度や温度の高いアナログ感知器１４ほど、センサデータを検出してから受信機１０でセンサデータを受信するまでの時間遅れを短縮することができる。
【００８２】
［端末機器の接続／未接続と火災発報履歴による重み値順アドレステーブルの生成］
図８は端末機器の接続と未接続及び火災発報履歴に応じた重み値の設定による重み値順アドレステーブルを示した説明図である。
【００８３】
図８（Ａ）に示す初期設定されるアドレスを昇順に並べたアドレステーブル６６にあっては、アナログ感知器１４の状態として図２（Ａ）に示したと同様に、アナログ感知器１４の接続で１となり、未接続で０となる第１重み値を設定し、これに加えてアナログ感知器１４の火災発報履歴となる発報回数に対応して第２重み値を設定している。
【００８４】
図１に示した受信機１０の受信機制御部３４は、伝送路１２に接続しているアナログ感知器１４からのセンサデータに基づき火災を判断した場合に、感知器アドレスに対応して発報回数を火災発報履歴として記憶している。
【００８５】
本実施形態にあっては、アナログ感知器１４の火災発報履歴を示す発報回数を第２重み値としてアドレステーブル６６に設定している。次に、第１重み値及び第２重み値を設定したアドレステーブル６６について、第１重み値と第２重み値を加算した加算重み値をもつ中間アドレステーブル（図示せず）を生成し、中間アドレステーブルについて加算重み値の大きい順にアドレスを並べ替えるソート処理を行うことにより、図８（Ｂ）に示す重み値順アドレステーブル６８を生成する。
【００８６】
このような重み値順アドレステーブル６８の生成が図３のフローチャートにおけるステップＳ１〜Ｓ３の処理に相当し、続いてステップＳ４〜Ｓ１０に示すように、重み値順アドレステーブル６８で与えられる重み値の高い順にアドレスを設定した呼出電文を端末に送信してセンサデータを含む応答電文を受信して処理する。
【００８７】
このため、一括ＡＤ変換コマンドを含む電文を一定周期毎に送信することによりアナログ感知器１４が検出したセンサデータを、受信機１０からの呼出電文に対する応答電文で送り返す場合、火災発報回数の高いアナログ感知器１４ほど、センサデータを検出してから受信機１０でセンサデータを受信するまでの時間遅れを短縮することができる。
【００８８】
［端末機器の接続／未接続と非火災発報履歴による重み値順アドレステーブルの生成］
図９は端末機器の接続と未接続及び非火災発報履歴に応じた重み値の設定による重み値順アドレステーブルを示した説明図である。
【００８９】
図９（Ａ）に示す初期設定されるアドレスを昇順に並べたアドレステーブル７０にあっては、アナログ感知器１４の状態として図２（Ａ）に示したと同様に、アナログ感知器１４の接続で１となり、未接続で０となる第１重み値を設定し、これに加えてアナログ感知器１４の非火災発報履歴となる非火災発報回数に対応して第２重み値を設定している。
【００９０】
図１に示した受信機１０の受信機制御部３４は、伝送路１２に接続しているアナログ感知器１４からのセンサデータに基づき火災を判断して火災警報を出力した場合、防災担当者等による火災現場の確認により非火災であった場合に行われる所定の一連操作、例えば音響警報停止スイッチの操作、地区音響停止スイッチの操作及び復旧スイッチの操作或いは所定の非火災発報通知操作を判別して非火災発報を認識し、感知器アドレスに対応して非火災報の発生回数をカウントアップすることで非火災発報履歴として記憶している。
【００９１】
本実施形態にあっては、アナログ感知器１４の非火災発報履歴を示す非火災の発報回数を第２重み値としてアドレステーブル７０に設定している。次に、第１重み値及び第２重み値を設定したアドレステーブル７０について、第１重み値と第２重み値を加算した加算重み値をもつ中間アドレステーブル（図示せず）を生成し、中間アドレステーブルについて加算重み値の大きい順にアドレスを並べ替えるソート処理を行うことにより、図９（Ｂ）に示す重み値順アドレステーブル７２を生成する。
【００９２】
このような重み値順アドレステーブル７２の生成が図３のフローチャートにおけるステップＳ１〜Ｓ３の処理に相当し、続いてステップＳ４〜Ｓ１０に示すように、重み値順アドレステーブル７２で与えられる重み値の高い順にアドレスを設定した呼出電文を端末に送信してセンサデータを含む応答電文を受信して処理する。
【００９３】
このため、一括ＡＤ変換コマンドを含む電文を一定周期毎に送信することによりアナログ感知器１４が検出したセンサデータを、受信機１０からの呼出電文に対する応答電文で送り返す場合、非火災発報回数の多いアナログ感知器１４ほど、センサデータを検出してから受信機１０でセンサデータを受信するまでの時間遅れを短縮することができる。
【００９４】
［端末機器の接続／未接続と非火災発報履歴による重み値順アドレステーブルの生成］
図１０は端末機器の接続と未接続及び障害履歴に応じた重み値の設定による重み値順アドレステーブルを示した説明図である。
【００９５】
図１０（Ａ）に示す初期設定されるアドレスを昇順に並べたアドレステーブル７４にあっては、アナログ感知器１４の状態として図２（Ａ）に示したと同様に、アナログ感知器１４の接続で１となり、未接続で０となる第１重み値を設定し、これに加えてアナログ感知器１４の障害履歴となる障害発生回数に対応して第２重み値を設定している。
【００９６】
図１に示した受信機１０の受信機制御部３４は、伝送路１２に接続しているアナログ感知器１４に呼出電文を送信しても応答電文を受信できなかった場合に、そのアナログ感知器１４の障害と判断して障害警報を出力しており、この感知器障害を判断した場合に、感知器アドレスに対応して障害発生回数をカウントアップすることで障害履歴として記憶している。
【００９７】
本実施形態にあっては、アナログ感知器１４の障害履歴を示す障害発生回数を、第２重み値としてアドレステーブル７４に設定している。次に、第１重み値及び第２重み値を設定したアドレステーブル７４について、第１重み値と第２重み値を加算した加算重み値をもつ中間アドレステーブル（図示せず）を生成し、中間アドレステーブルについて加算重み値の大きい順にアドレスを並べ替えるソート処理を行うことにより、図１０（Ｂ）に示す重み値順アドレステーブル７６を生成する。
【００９８】
このような重み値順アドレステーブル７６の生成が図３のフローチャートにおけるステップＳ１〜Ｓ３の処理に相当し、続いてステップＳ４〜Ｓ１０に示すように、重み値順アドレステーブル７６で与えられる重み値の高い順にアドレスを設定した呼出電文を端末に送信してセンサデータを含む応答電文を受信して処理する。
【００９９】
このため、一括ＡＤ変換コマンドを含む電文を一定周期毎に送信することによりアナログ感知器１４が検出したセンサデータを、受信機１０からの呼出電文に対する応答電文で送り返す場合、障害発生回数の多いアナログ感知器１４ほど、センサデータを検出してから受信機１０でセンサデータを受信するまでの時間遅れを短縮することができる。
【０１００】
［端末機器の接続／未接続と製造年月日による重み値順アドレステーブルの生成］
図１１は端末機器の接続と未接続及び障害履歴に応じた重み値の設定による重み値順アドレステーブルを示した説明図である。
【０１０１】
図１１（Ａ）に示す初期設定されるアドレスを昇順に並べたアドレステーブル７８にあっては、アナログ感知器１４の状態として図２（Ａ）に示したと同様に、アナログ感知器１４の接続で１となり、未接続で０となる第１重み値を設定し、これに加えてアナログ感知器１４の製造年月の古いほど高くなる第２重み値を設定している。
【０１０２】
図１に示した防災監視設備で警戒区域にアナログ感知器１４を設置する場合、製造年月日が例えば数か月といった範囲で異なることが想定され、また、運用中に障害を起こしたアナログ感知器１４を新品に交換したり、感知器を増設したりすると、新しい製造年月日のものが存在することとなる。
【０１０３】
そこで図１に示した防災監視設備の施工段階で、受信機１０に記憶させる物件データに含まれる感知器アドレスに対応して製造年月日を設定しておき、電源投入により受信機１０を立ち上げた際に、物件データからアナログ感知器１４の製造年月日を取得してアドレステーブル７８に設定し、製造年月日が古いほど高くなる第２重み値を設定する。
【０１０４】
本実施形態では、日単位の区別は不要であることから、月単位の区別とし、製造年月に対応して第２重み値を設定している。また、年単位の区別とし、製造年度に対応して第２重み値を設定してもよい。
【０１０５】
ここでアドレステーブル７８のアドレス０１の製造年月は他の製造年月と大きく離れており、アドレス０１のアナログ感知器１４は障害により新品に交換したものであることが分かる。
【０１０６】
このようにしてアドレステーブル７８を生成したならば、続いて、第１重み値及び第２重み値を設定したアドレステーブル７８について、第１重み値と第２重み値を加算した加算重み値をもつ中間アドレステーブル（図示せず）を生成し、中間アドレステーブルについて加算重み値の大きい順にアドレスを並べ替えるソート処理を行うことにより、図１１（Ｂ）に示す重み値順アドレステーブル８０を生成する。
【０１０７】
このような重み値順アドレステーブル８０の生成が図３のフローチャートにおけるステップＳ１〜Ｓ３の処理に相当し、続いてステップＳ４〜Ｓ１０に示すように、重み値順アドレステーブル８０で与えられる重み値の高い順にアドレスを設定した呼出電文を端末に送信してセンサデータを含む応答電文を受信して処理する。
【０１０８】
このため、一括ＡＤ変換コマンドを含む電文を一定周期毎に送信することによりアナログ感知器１４が検出したセンサデータを、受信機１０からの呼出電文に対する応答電文で送り返す場合、製造年月の古いアナログ感知器１４ほど、センサデータを検出してから受信機１０でセンサデータを受信するまでの時間遅れを短縮することができる。
【０１０９】
また、本実施形態の変形として、製造年月日が新しいほど高くなる第２重み値を設定した重み値順アドレステーブルを生成し、製造年月の新しいアナログ感知器１４ほど、センサデータを検出してから受信機１０でセンサデータを受信するまでの時間遅れを短縮するようにしても良い。
【０１１０】
なお、製造年月日に代えて使用期間に応じて重み値を設定しても良い。即ち、端末機器の製造年月日が古いほど使用期間が長くなり、製造年月日が新しいほど使用期間が短くなることから、端末機器の使用期間が長いほど、又は端末機器の使用期間が短いほど高くなるように重み値を設定しても良い。
【０１１１】
［本発明の変形例］
（重み値による端末呼出し回数の制御）
また、上記の実施形態は、重み値の高い順にアドレスを設定して端末機器に呼出電文を送信しているが、これ限定されず、受信機の制御部は、重み値に応じて端末機器に対し呼出電文を送信する回数を変化させるようにしても良い。このため、例えば端末機器で検出した火災発報回数が多いほど高い重み値により呼出電文の送信回数が増加させることで、火災検出の可能性が高い特定の状態にある端末機器から集中的に応答電文を返送させて火災検出等の遅れ時間を動的に短くすることができる。
【０１１２】
（ガス消火設備）
上記の実施形態は、火災やガス漏れを監視する防災監視設備の伝送システムを例にとっているが、火災発生時に二酸化炭素やハロンガス等の消火ガスを放出して火災を消火するガス系消火設備の伝送システムに適用することもできる。
【０１１３】
ガス系消火設備にあっては、制御盤から引き出された伝送路に固有のアドレスを設定した複数の操作箱を接続し、制御盤から操作箱にアドレスを指定した所望のコマンドやデータを含む呼出電文を送信し、自己アドレスと一致するアドレスの呼出電文を受信した操作箱から操作情報や検出情報等のデータを含む応答電文を制御盤に送信し、消火ガスを放出するための制御や表示を行うようにしており、操作箱の状態に応じた重み値を設定し、設定した重み値に基づいた順番にアドレスを設定して操作箱に呼出電文を送信すれば良い。
【０１１４】
これ以外にも、制御盤から引き出された伝送路に、固有のアドレスを設定した所定の最大アドレス数以内となる複数の端末機器を接続し、制御盤からアドレスを指定した呼出電文を送信し、呼出電文のアドレスと自己アドレスが一致した端末機器から応答電文を送信する適宜の防災設備の伝送システムに適用できる。
【０１１５】
（制御負荷としての端末機器）
上記の実施形態は、端末機器として検出機能を備えたアナログ感知器を例にとっているが、制御負荷として機能する図１に示した防火シャッター２６、防火戸２８、ダンパ３０及びスプリンクラー消火設備のアラーム弁３２等の端末機器についても、同様に、制御負荷の状態、例えば、接続と未接続、重要度、制御履歴、障害履歴、製造年月日等に対応した重み値を設定し、設定した重み値に基づいた順番にアドレスを設定して制御負荷に呼出電文を送信するようにしても良い。
【０１１６】
（その他）
また本発明は、その目的と利点を損なうことのない適宜の変形を含み、更に上記の実施形態に示した数値による限定は受けない。
【符号の説明】
【０１１７】
１０：受信機
１２−１，１２−２：伝送路
１４：アナログ感知器
１６：中継器
１８：火報回線
２０：オンオフ感知器
２２：発信機
２４：ガス漏れ検出器
２６：防火シャッター
２８：防火戸
３０：ダンパ
３２：アラーム弁
３４：受信機制御部
３６−１，３６−２：伝送部
３８：表示部
４０：操作部
４２：音響警報部
４４：移報部
４６：プリンタ
４８，５４，５８，６２，６６，７０，７４，７８：アドレステーブル
５０：中間アドレステーブル
５２，５６，６０，６４，６８，７２，７６，８０：重み値順アドレステーブル
【図１】
2019036179.tif 000003
【図２】
2019036179.tif 000004
【図３】
2019036179.tif 000005
【図４】
2019036179.tif 000006
【図５】
2019036179.tif 000007
【図６】
2019036179.tif 000008
【図７】
2019036179.tif 000009
【図８】
2019036179.tif 000010
【図９】
2019036179.tif 000011
【図１０】
2019036179.tif 000012
【図１１】
2019036179.tif 000013